(57)【要約】【課題】表示データ格納メモリのアクセス回数を削減し消費電力を低減する。【解決手段】表示制御装置２００は、表示装置２４０に表示する背景画像上に特定画像を含む表示データを格納する表示データ格納部２２２と、表示データを背景画像の領域部分と特定画像の領域部分に分離する分離部２２４と、背景画像の領域部分毎に、その開始位置を示す開始コードと、背景画像の当該領域部分のデータ数に変換する変換部２２６と、背景画像の各領域部分の開始コードとデータ数と、特定画像の領域部分とから表示データを生成し、表示データ格納部２２２に格納する生成部２２８と、表示データ格納部２２２に格納された表示データを表示装置２４０に転送する転送部２３２と、転送する際に、表示データ格納部２２２に格納された表示データのうち背景画像の各領域部分の開始コードとデータ数に基づいて復元された背景画像と特定画像を表示する復元部２３０と、を備える。【選択図】図１
2012212037.tif 000002
【特許請求の範囲】
【請求項１】
表示装置に表示する、単一色の背景色の背景画像上に特定画像を含む表示データを格納する表示データ格納手段と、
前記表示データを、前記背景画像の領域部分と前記特定画像の領域部分に分離する分離手段と、
分離した前記背景画像の領域部分毎に、その開始位置を示す開始コードと、前記背景画像の当該領域部分のデータ数に変換する変換手段と、
変換された前記背景画像の各領域部分の前記開始コードと前記データ数と、前記特定画像の前記領域部分とから前記表示データを生成し、前記表示データ格納手段に格納する生成手段と、
前記表示データ格納手段に格納された前記表示データを前記表示装置に転送して表示させる転送手段と、
前記転送手段が前記表示データを前記表示装置に転送する際に、前記表示データ格納手段に格納された前記表示データのうち前記背景画像の各前記領域部分の前記開始コードと前記データ数に基づいて、前記背景画像の各前記領域部分を復元しながら、復元された前記背景画像と前記特定画像を表示する復元手段と、を備える表示制御装置。
【請求項２】
請求項１に記載の表示制御装置において、
前記表示装置はＬＣＤ（Liquid Crystal Display）であり、前記ＬＣＤの画面の水平方向および垂直方向にそれぞれ複数の画素が配置され、
前記分離手段は、
前記画面に表示される画像の前記水平方向のライン毎に画素を走査して読み取る読み取り部と、
前記読み取り部が、順次、前記垂直方向にずらしながら前記画面に表示される前記画像を走査して読み取りながら、前記背景画像の前記画素の前記背景色を検知する検知部と、
検知した前記背景色が連続した前記画素の数をカウントするカウント部と、
前記検知部が前記背景色として検知しなかった連続した画素の部分を判別する判別部と、を有し、
前記変換手段は、前記読み取り部が走査しながら、前記検知部が検知した前記背景色の前記画像を前記開始コードに変換し、前記カウント部がカウントした前記画像の数を前記データ数に変換し、前記開始コードと前記データ数を対にして順に前記表示データとし、前記判別部が前記特定画像の前記領域部分と判別した前記画素はそのまま順に前記表示データに変換し、前記表示データ格納手段に格納する表示制御装置。
【請求項３】
請求項２に記載の表示制御装置において、
前記復元手段は、
前記表示データ格納手段から前記表示データを順次、読み出しながら、前記背景色の前記開始コードを検出する検出部と、
前記開始コードを検出したとき、当該開始コードと対の前記データ数を取得する取得部と、
前記背景色を取得した前記データ数分、前記背景色の前記画素を生成する生成部と、を有し、
前記転送手段が、前記生成部が生成した前記データ数分の前記背景色の前記画素と、前記特定画像の前記領域部分の前記表示データを順次前記表示装置に転送する表示制御装置。
【請求項４】
表示制御装置のデータ処理方法であって、
前記表示制御装置が、表示装置に表示する、単一色の背景色の背景画像上に特定画像を含む表示データを格納する表示データ格納装置を備え、
前記表示制御装置が、
前記表示データを、前記背景画像の領域部分と前記特定画像の領域部分に分離し、
分離した前記背景画像の領域部分毎に、その開始位置を示す開始コードと、前記背景画像の当該領域部分のデータ数に変換し、
変換された前記背景画像の各領域部分の前記開始コードと前記データ数と、前記特定画像の前記領域部分とから前記表示データを生成し、前記表示データ格納装置に格納し、
前記表示データ格納装置に格納された前記表示データを前記表示装置に転送して表示させ、
前記表示データを前記表示装置に転送する際に、前記表示データ格納装置に格納された前記表示データのうち前記背景画像の各前記領域部分の前記開始コードと前記データ数に基づいて、前記背景画像の各前記領域部分を復元しながら、復元された前記背景画像と前記特定画像を表示する表示制御装置のデータ処理方法。
【請求項５】
表示手段と、
前記表示手段に表示する、単一色の背景色の背景画像上に特定画像を含む表示データを格納する表示データ格納手段と、
前記表示データを、前記背景画像の領域部分と前記特定画像の領域部分に分離する分離手段と、
分離した前記背景画像の領域部分毎に、開始コードと、前記背景画像の当該領域部分のデータ数に変換する変換手段と、
変換された前記背景画像の各領域部分の前記開始コードと前記データ数と、前記特定画像の前記領域部分とから前記表示データを生成し、前記表示データ格納手段に格納する生成手段と、
前記表示データ格納手段に格納された前記表示データを前記表示装置に転送して表示させる転送手段と、
前記転送手段が前記表示データを前記表示装置に転送する際に、前記表示データ格納手段に格納された前記表示データのうち前記背景画像の各前記領域部分の前記開始コードと前記データ数に基づいて、前記背景画像の各前記領域部分を復元しながら、復元された前記背景画像と前記特定画像を表示する復元手段と、を備える表示システム。
【発明の詳細な説明】
【技術分野】
【０００１】
本発明は、表示制御装置、表示制御装置のデータ処理方法、および表示システムに関し、特に、ＬＣＤ（Liquid Crystal Display）や有機ＥＬ（ElectroLuminescence）ディスプレイなどの表示装置への画像表示を制御する表示制御装置、表示制御装置のデータ処理方法、および表示システムに関する。
【背景技術】
【０００２】
近年、携帯電話やＰＤＡ（Personal Digital Assistants）、ゲーム機などの携帯機器は、ユーザのニーズに対応し、多機、高機能化進んでおり、この多機、高機能化に伴い電力の消費量も多くなっている。しかし、携帯機器の性質上、機器の体積や重量を大きくすることは商品価値を損ねる為、電源供給元である乾電池や２次電池の容量を多くすることは難しい。よって新しい機能追加や機能向上による消費電力の増加と同等またはそれ以上に、既存機能の消費電力を削減する等の省電対策が重要になって来ている。
【０００３】
表示回路の一例が特許文献１および２に記載されている。特許文献に記載の表示回路は、表示データを単色背景と文字、アイコン等と分離し、背景色データはハードウェアで生成する。
【先行技術文献】
【特許文献】
【０００４】
【特許文献１】特開昭６３−１２９３９８号公報
【特許文献２】特開平１０−７９８９８号公報
【発明の概要】
【発明が解決しようとする課題】
【０００５】
近年、ディスプレイの高画質化などに伴い、画面の画素数も増加する傾向にあり、表示用メモリに格納される表示データの容量も増大している。そこで、メモリアクセス回数の削減が望まれている。
しかし、上述した特許文献に記載された技術においては、表示用メモリに格納される表示データは、背景画像とアイコン部分とを分離して処理しているが、表示イメージそのままなので、メモリへのアクセス回数を削減することはできないという問題点があった。
【０００６】
本発明の目的は、上述した課題であるメモリアクセス回数を削減できないという問題を解決する表示制御装置、表示制御装置のデータ処理方法、および表示システムを提供することにある。
【課題を解決するための手段】
【０００７】
本発明の表示制御装置は、
表示装置に表示する、単一色の背景色の背景画像上に特定画像を含む表示データを格納する表示データ格納手段と、
前記表示データを、前記背景画像の領域部分と前記特定画像の領域部分に分離する分離手段と、
分離した前記背景画像の領域部分毎に、その開始位置を示す開始コードと、前記背景画像の当該領域部分のデータ数に変換する変換手段と、
変換された前記背景画像の各領域部分の前記開始コードと前記データ数と、前記特定画像の前記領域部分とから前記表示データを生成し、前記表示データ格納手段に格納する生成手段と、
前記表示データ格納手段に格納された前記表示データを前記表示装置に転送して表示させる転送手段と、
前記転送手段が前記表示データを前記表示装置に転送する際に、前記表示データ格納手段に格納された前記表示データのうち前記背景画像の各前記領域部分の前記開始コードと前記データ数に基づいて、前記背景画像の各前記領域部分を復元しながら、復元された前記背景画像と前記特定画像を表示する復元手段と、を備える。
【０００８】
本発明の表示制御装置のデータ処理方法は、
前記表示制御装置が、表示装置に表示する、単一色の背景色の背景画像上に特定画像を含む表示データを格納する表示データ格納装置を備え、
前記表示制御装置が、
前記表示データを、前記背景画像の領域部分と前記特定画像の領域部分に分離し、
分離した前記背景画像の領域部分毎に、その開始位置を示す開始コードと、前記背景画像の当該領域部分のデータ数に変換し、
変換された前記背景画像の各領域部分の前記開始コードと前記データ数と、前記特定画像の前記領域部分とから前記表示データを生成し、前記表示データ格納装置に格納し、
前記表示データ格納装置に格納された前記表示データを前記表示装置に転送して表示させ、
前記表示データを前記表示装置に転送する際に、前記表示データ格納装置に格納された前記表示データのうち前記背景画像の各前記領域部分の前記開始コードと前記データ数に基づいて、前記背景画像の各前記領域部分を復元しながら、復元された前記背景画像と前記特定画像を表示する。
【０００９】
本発明の表示システムは、
表示手段と、
前記表示手段に表示する、単一色の背景色の背景画像上に特定画像を含む表示データを格納する表示データ格納手段と、
前記表示データを、前記背景画像の領域部分と前記特定画像の領域部分に分離する分離手段と、
分離した前記背景画像の領域部分毎に、開始コードと、前記背景画像の当該領域部分のデータ数に変換する変換手段と、
変換された前記背景画像の各領域部分の前記開始コードと前記データ数と、前記特定画像の前記領域部分とから前記表示データを生成し、前記表示データ格納手段に格納する生成手段と、
前記表示データ格納手段に格納された前記表示データを前記表示装置に転送して表示させる転送手段と、
前記転送手段が前記表示データを前記表示装置に転送する際に、前記表示データ格納手段に格納された前記表示データのうち前記背景画像の各前記領域部分の前記開始コードと前記データ数に基づいて、前記背景画像の各前記領域部分を復元しながら、復元された前記背景画像と前記特定画像を表示する復元手段と、を備える。
【００１０】
なお、以上の構成要素の任意の組合せ、本発明の表現を方法、装置、システム、記録媒体、コンピュータプログラムなどの間で変換したものもまた、本発明の態様として有効である。
【００１１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１２】
また、本発明のデータ処理方法およびコンピュータプログラムには複数の手順を順番に記載してあるが、その記載の順番は複数の手順を実行する順番を限定するものではない。このため、本発明のデータ処理方法およびコンピュータプログラムを実施するときには、その複数の手順の順番は内容的に支障しない範囲で変更することができる。
【００１３】
さらに、本発明のデータ処理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１４】
本発明によれば、表示データ格納用メモリのメモリアクセス回数を削減し、消費電力を低減する表示制御装置、表示制御装置のデータ処理方法、および表示システムが提供される。
【図面の簡単な説明】
【００１５】
【図１】本発明の実施の形態に係る表示システムの構成を示す機能ブロック図である。
【図２】図１の表示制御装置の分離部の要部構成を示す機能ブロック図である。
【図３】本発明の実施の形態に係る表示システムのハードウェア構成を示すブロック図である。
【図４】本発明の実施の形態に係る表示システムの表示データを説明するための図である。
【図５】本発明の実施の形態に係る表示システムのメモリに格納される表示データの構造の一例を示す図である。
【図６】本発明の実施の形態に係る表示システムのメモリから読み出した表示データの復元処理を説明するための図である。
【図７】一般的な表示システムの構成を示すブロック図である。
【図８】本発明の実施の形態に係る表示システムのメモリ領域の構成の一例を示す図である。
【図９】本発明の実施の形態に係る表示システムの表示装置の画素数を説明するための図である。
【図１０】図７の表示システムのメモリに格納される表示データの構造の一例を示す図である。
【図１１】図７の表示システムのメモリから読み出した表示データの復元処理を説明するための図である。
【発明を実施するための形態】
【００１６】
以下、本発明の実施の形態について、図面を用いて説明する。尚、すべての図面において、同様な構成要素には同様の符号を付し、適宜説明を省略する。
【００１７】
（第１の実施の形態）
はじめに、一般的な表示システムの構成について図７を用いて説明する。図７は、一般的な表示システムの構成を示すブロック図である。
図７に示すように、表示制御装置は、ＣＰＵ（Central Processing Unit）１０１と、ＲＡＭ（Random Access Memory）１０２と、ＬＣＤ（Liquid Crystal Display）制御部１０４と、を備え、ＬＣＤ１０３への画像表示を制御する。
【００１８】
ＣＰＵ１０１は、表示制御装置の各要素とメモリバス１１０を介して接続され、各要素とともに表示制御装置全体を制御する。ＲＡＭ１０２は、図８に示すように、ＣＰＵ１０１が使用するデータの種別ごとに、命令格納領域、データ格納領域、ＷＯＲＫ領域と格納領域が定められており、その中にＬＣＤ１０３の表示データを格納するＶＲＡＭ領域も割り当てられている。
【００１９】
図７に戻り、ＬＣＤを表示手段とするシステムでは、たとえば、ＬＣＤ１０３に画像表示を行う場合、図７の破線矢印１２１方向にＣＰＵ１０１がＲＡＭ１０２へ表示データの書き込みを行い、破線矢印１２２方向にＲＡＭ１０２からＬＣＤ１０３へ全表示データの
転送を行う。
たとえば、図９に示すような、ＬＣＤ１０３は、横４８０画素、および縦６４０ラインで総画素数４８０×６４０＝３０７２００画素となり、１画素のデータ量を１バイトとすると総表示データ量は３０７２００バイトとなる。
【００２０】
ＲＡＭ１０２には、ＬＣＤ１０３に表示される表示データが、図１０に示すように、ＬＣＤ１０３（図７）へ転送される順番に格納される。そして、図１１に示すように、ＬＣＤ制御部１０４（図７）はリード信号１０５（図７）を制御してＲＡＭ１０２（図７）から順番に表示データを読み出し、そのデータをＶＣＬＫ１０７に同期させＶＤＡＴＡ１０６からＬＣＤ１０３へ転送する。この際１ライン分の４８０バイトの表示データをＬＣＤ１０３に転送するごとに、１ライン分のデータ転送したことを示すＨＳＹＮＣ信号１０８をＬＣＤ１０３に出力し、３０１７２００バイトの全表示データを転送したところで、全表示データを転送したことを示すＶＳＹＮＣ信号１０９をＬＣＤ１０３に出力する。なお、図１１（ｂ）は、図１１（ａ）の続きを示している。
【００２１】
この表示データの転送はＬＣＤ１０３が表示する期間で常に行われる為、表示データ転送による電力消費が定常的なものとなる。特に高速且つ大容量のメモリを使用する場合は、メモリでの消費電力が多く、特に、電池を電源供給元とする携帯電子機器にとっては、少しでも消費電力を削減しなければないので、この様な定常的に消費される電力については改善する必要がある。また、ディスプレイの高画質化などに伴い、画面の画素数も増加する傾向にあり、表示用メモリに格納される表示データの容量も増大している。そこで、メモリアクセス回数の削減も望まれている。
【００２２】
本発明の表示システムは、メモリアクセスを削減するための工夫をしたものであり、以下、その構成について説明する。
図１は、本発明の実施の形態に係る表示システムの構成を示す機能ブロック図である。
本実施形態の表示システムは、表示部（表示装置２４０）と、表示装置２４０に表示する、単一色の背景色の背景画像上に特定画像を含む表示データを格納する表示データ格納部２２２と、表示データを、背景画像の領域部分と特定画像の領域部分に分離する分離部２２４と、分離した背景画像の領域部分毎に、その開始位置を示す開始コードと、背景画像の当該領域部分のデータ数に変換する変換部２２６と、変換された背景画像の各領域部分の開始コードとデータ数と、特定画像の領域部分とから表示データを生成し、表示データ格納部２２２に格納する生成部２２８と、表示データ格納部２２２に格納された表示データを表示装置２４０に転送して表示させる転送部２３２と、転送部２３２が表示データを表示装置２４０に転送する際に、表示データ格納部２２２に格納された表示データのうち背景画像の各領域部分の開始コードとデータ数に基づいて、背景画像の各領域部分を復元しながら、復元された背景画像と特定画像を表示する復元部２３０と、を備える。
【００２３】
本発明において、表示制御装置２００は、たとえば、表示機能を有する携帯電話機、ＰＨＳ（Personal Handyphone System）、スマートフォン、ＰＤＡ（Personal Digital Assistants）、タブレット端末、ゲーム機などの携帯電子機器に含まれる。特に、表示用データをＲＡＭなどのメモリに格納し、そのデータを表示部へ転送する機能を有する電子機器に含まれる。
【００２４】
本実施形態の表示制御装置２００において、表示装置２４０はＬＣＤであり、図９に示すような画面の水平方向および垂直方向にそれぞれ複数の画素が配置される。
また、本実施形態において、特定画像とは、アイコンや文字など、色や形が背景画像と異なり複雑な画像である。また、背景画像は、単一色の背景色で表現される画像である。
【００２５】
なお、以下の各図において、本発明の本質に関わらない部分の構成については省略してあり、図示されていない。
【００２６】
また、本実施形態の表示システムの各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００２７】
本実施の形態の表示制御装置は、本発明のコンピュータプログラムに記述された手順をＣＰＵが実行することで、本実施形態で説明する各種ユニットが各種機能として実現される。
【００２８】
本実施形態のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、ネットワークを通じてコンピュータにダウンロードされ、メモリにロードされてもよい。
【００２９】
図２は、図１の表示制御装置２００の分離部２２４の要部構成を示す機能ブロック図である。
分離部２２４は、画面に表示される画像の水平方向のライン毎に画素を走査して読み取る読み取り部２５２と、読み取り部２５２が、順次、垂直方向にずらしながら画面に表示される画像を走査して読み取りながら、背景画像の画素の背景色を検知する検知部２５４と、検知した背景色が連続した画素の数をカウントするカウント部２５６と、検知部２５４が背景色として検知しなかった連続した画素の部分を特定画像の領域部分と判別する判別部２５８と、を有する。
変換部２２６は、読み取り部２５２が走査しながら、検知部２５４が検知した背景色の画像を開始コードに変換し、後述するカウンタ３０４（図３）がカウントした画像の数をデータ数に変換し、開始コードとデータ数を対にして順に表示データとし、判別部２５８が特定画像の領域部分と判別した画素はそのまま順に表示データに変換し、表示データ格納部２２２に格納する。
【００３０】
図３は、本実施形態の表示システムの具体的なハードウェア構成を示すブロック図である。
図３に示すように、本実施形態の表示システムの表示制御装置は、ＣＰＵ２０１と、ＲＡＭ２０２と、ＬＣＤ制御部２０４と、を備え、ＬＣＤ２０３への画像表示を制御する。図３の本実施形態の表示制御装置は、ＬＣＤ２０３を表示手段とする携帯電子機器に含まれるものとする。
【００３１】
本実施形態の表示制御装置において、復元部２３０（図１）は、表示データ格納部（図３のＲＡＭ２０２）から表示データを順次、読み出しながら、背景色の開始コードを検出する検出部（図３の背景色開始コード判断部３０１）と、開始コードを検出したとき、当該開始コードと対のデータ数を取得する取得部（図３のカウンタ３０４）と、背景色を取得したデータ数分、背景色の画素を生成する生成部（図３の背景色データ生成部３０６）と、を有する。そして、転送部（図３のＬＣＤデータ転送タイミング生成部３０９、セレクタ３０８）が、背景色データ生成部３０６が生成したデータ数分の背景色の画素と、特定画像の領域部分の表示データを順次表示装置（図３のＬＣＤ２０３）に転送する。
【００３２】
詳細には、図３に示すように、本実施形態の表示システムにおいて、携帯電子機器の制御を司るＣＰＵ２０１と、ＣＰＵ２０１が実行する命令やデータと表示データを格納するＲＡＭ２０２と、表示手段である横４８０画素および縦６４０ラインで総画素数３０７２００画素のＬＣＤ２０３と、ＲＡＭ２０２からのＬＣＤ２０３へ表示データの転送を行うＬＣＤ制御部２０４と、を備える。ＲＡＭ２０２に格納されている表示データはＬＣＤ２０３の１画素当たり１バイトのデータ量とする。
【００３３】
ＣＰＵ２０１と、ＲＡＭ２０２およびＬＣＤ制御部２０４との間はメモリバス２０５で接続されている。これ以外に、ＣＰＵ２０１がＲＡＭ２０２にデータを書き込む為の制御信号であるライト信号２０６が、ＣＰＵ２０１からＲＡＭ２０２に出力される。ＣＰＵ２０１とＬＣＤ制御部２０４がＲＡＭ２０２からデータを読み出す為の制御信号であるリード信号２０７が、ＣＰＵ２０１およびＬＣＤ制御部２０４それぞれから出力される。ＣＰＵ２０１およびＬＣＤ制御部２０４それぞれから出力されるリード信号２０７は、ＯＲゲート２１２を経由してＲＡＭ２０２に入力される。
【００３４】
ＬＣＤ制御部２０４とＬＣＤ２０３の間は、表示データ転送用のバスラインであるＶＤＡＴＡ２０８と、データ転送同期信号であるＶＣＬＫ２０９、水平同期信号であるＨＳＹＮＣ２１０、および垂直同期信号であるＶＳＹＮＣ２１１の専用信号ラインとで接続されており、ＶＤＡＴＡ２０８、ＨＳＹＮＣ２１０、およびＶＳＹＮＣ２１１は、ＶＣＬＫ２０９と同期したタイミングで出力される。
【００３５】
ＬＣＤ制御部２０４は、背景色開始コード判断部３０１と、カウンタ３０４と、背景色データ生成部３０６と、セレクタ３０８と、ＬＣＤデータ転送タイミング生成部３０９と、を備える。
背景色開始コード判断部３０１は、比較器３０２を有し、ＲＡＭ２０２からリードした表示データと背景色開始コードであるＦＦｈとを比較して、ＲＡＭ２０２からＬＣＤ２０３に転送されるデータの中から背景色開始コードを検出し、背景色開始コード検出信号３０３を出力する。カウンタ３０４は、背景色開始コード検出信号３０３に呼応して、背景色開始コードの次に入力される背景色データ数の値をロードすると同時に、背景色データの転送回数をカウントする。
【００３６】
背景色データ生成部３０６は、背景色データを設定する背景色データ設定レジスタ３０７を有し、背景色データを生成する。セレクタ３０８は、ＬＣＤ２０３に転送するデータをＲＡＭ２０２から読み出した表示データまたは背景色データ生成部３０６で生成された背景色データに切り替える。ＬＣＤデータ転送タイミング生成部３０９は、ＬＣＤ２０３へ出力するＶＤＡＴＡ２０８、ＶＣＬＫ２０９、ＨＳＹＮＣ２１０、およびＶＳＹＮＣ２１１、ならびに、ＲＡＭ２０２のリード信号２０７のタイミングを生成する。
【００３７】
ＲＡＭ２０２には図８に示すように、ＣＰＵ２０１が使用するデータの種別ごとに、命令格納領域、データ格納領域、ＷＯＲＫ領域と格納領域が定められており、その中にＬＣＤ２０３の表示データを格納するＶＲＡＭ領域も割り当てられている。
【００３８】
このように構成された本実施形態の表示制御装置のデータ処理方法について、以下に説明する。
本実施形態の表示制御装置のデータ処理方法は、表示制御装置が、表示データを、背景画像の領域部分と特定画像の領域部分に分離し、分離した背景画像の領域部分毎に、その開始位置を示す開始コードと、背景画像の当該領域部分のデータ数に変換し、変換された背景画像の各領域部分の開始コードとデータ数と、特定画像の領域部分とから表示データを生成し、表示データ格納装置（図３のＲＡＭ２０２）に格納し、ＲＡＭ２０２に格納された表示データを表示装置（図３のＬＣＤ２０３）に転送して表示させ、表示データをＬＣＤ２０３に転送する際に、ＲＡＭ２０２に格納された表示データのうち背景画像の各領域部分の開始コードとデータ数に基づいて、背景画像の各領域部分を復元しながら、復元された背景画像と特定画像を表示する。
【００３９】
本実施形態の表示システムは、以下のように動作する。以下、図１、図２、および図４〜図６を用いて説明する。
具体的には、図４に示すように、単色背景上に２個のアイコンが並ぶ表示を行った場合、２個のアイコンを通過する任意のラインＸの画素構成は左から背景が１１２画素、アイコン１が９６画素、背景が９６画素、アイコン２が３２画素（不図示）、背景色が１４４画素（不図示）の順に並ぶとする。
【００４０】
変換部２２６（図１）は、表示データをＲＡＭ２０２（図３）に格納する際、背景の表示データを背景色開始コードと連続した背景色データ数（画素数）に変換する。そして、背景以外の表示データは、ＬＣＤ２０３に転送する順にＲＡＭ２０２内のＶＲＡＭ領域（図５）に書き込む。ここで、背景色開始コードは１６進数のＦＦｈとし、背景色データ数ならびに表示データも１６進数で書き込まれる。
【００４１】
１画素分の表示データ並びに背景色開始コード、背景色データ数を１バイトとするので、ラインＸの表示データは、図５に示すように、背景色開始コードと背景色データ数、アイコン１とアイコン２の表示データが、表示される順番すなわちＬＣＤ２０３（図３）へ転送される順番にＲＡＭ２０２（図３）に格納される。
【００４２】
本実施形態では、ＦＦｈを背景色開始コードとする為、表示データはＦＦｈ以外の００ｈ〜ＦＥｈで表現される。なお、本実施形態では、表示データは、１画素を１バイト（８ビット）で表現しているが、これに限定されない。
図３において、ＣＰＵ２０１は全表示データをＲＡＭ２０２に格納した後、背景色データ設定レジスタ３０７に定められた背景色のデータを設定する。
【００４３】
その後、ＬＣＤ制御部２０４が、ＲＡＭ２０２のＶＲＡＭ領域から順番にリード信号２０７を制御しながら表示データを読み出す。そして、ＬＣＤデータ転送タイミング生成部３０９がＶＳＹＮＣ２１１およびＨＳＹＮＣ２１０を制御しながら、ＶＣＬＫ２０９に同期させセレクタ３０８を経由し、ＶＤＡＴＡ２０８よりＬＣＤ２０３へ表示データを転送する。
【００４４】
ＲＡＭ２０２に格納された表示データを読み出しＬＣＤ２０３に転送する際、ＬＣＤ制御部２０４で背景色開始コードを検出すると、検出後からＬＣＤ制御部２０４に予め設定された背景色に基づく背景データをＬＣＤ制御部２０４の背景色データ生成部３０６が生成する。ひして、ＬＣＤデータ転送タイミング生成部３０９とセレクタ３０８が制御するタイミングで、背景色開始コードの次にＲＡＭ２０２から読み出した背景色データ数の値と同じ数量だけ表示データがＬＣＤ２０３に転送される。
【００４５】
背景色データ数分の背景色データの転送が終わると、ＲＡＭ２０２からの読み出しを再開し、その読み出したデータが背景色開始コード以外であれば、表示データとみなし、ＬＣＤ２０３への転送を再開する。この様なＲＡＭ２０２からＬＣＤ２０３へのデータ転送の様子をラインＸについて図示したものが図６である。なお、図６（ｂ）は、図６（ａ）の続きを示している。
【００４６】
他のラインもラインＸと同様に表示データを「背景色開始コード」、「背景色データ数」、背景以外の表示データに分けＲＡＭ２０２に格納し、ＲＡＭ２０２からＬＣＤ２０３に表示データを転送する際に背景色開始コードと背景色データ数から背景表示データをＬＣＤ制御部２０４に復元する。
【００４７】
より詳細には、背景色開始コード判断部３０１がＲＡＭ２０２からリードした表示データと背景色開始コードであるＦＦｈと比較器３０２で比較し、表示データの中からＦＦｈのデータを検出すると背景色開始コード検出信号３０３を出力する。
ＬＣＤデータ転送タイミング生成部３０９が、背景色開始コード検出信号３０３が入力されるとＲＡＭ２０２からのデータ読み出しを停止する。
【００４８】
また、カウンタ３０４に背景色開始コード検出信号３０３が入力されると、背景色開始コードの次に入力される背景色データ数の値をカウンタ３０４にロードすると同時に、ＶＤＡＴＡ２０８へ入力する信号をＬＣＤデータ転送タイミング生成部３０９から背景色データ生成部３０６に切り替える様、選択信号３０５の論理を変える。
【００４９】
これにより、ＶＤＡＴＡ２０８から背景色データ設定レジスタ３０７で設定した値の背景色データがＶＤＡＴＡ２０８から出力される。
カウンタ３０４が、ＶＤＡＴＡ２０８から出力される背景色データの数をカウントし、出力した背景色データの数がロードした背景色データ数と同一になると、選択信号３０５の論理を元に戻しＶＤＡＴＡ２０８へ入力する信号を背景色データ生成からＬＣＤデータ転送タイミング生成部３０９に切り替える。図６では、ラインＸで、背景色開始コードが３箇所含まれていて、それぞれ背景色データ数が１１２、９６、および１４４ずつ出力されている。
【００５０】
そして、ＬＣＤデータ転送タイミング生成部３０９が、選択信号３０５の論理が元に戻るとＲＡＭ２０２からの表示データ読み出しを再開する。
読み出した表示データは、ＬＣＤデータ転送タイミング生成部３０９とセレクタ３０８を経由しＶＤＡＴＡ２０８よりＬＣＤ２０３へ転送される。
上記動作を繰り返し、ＲＡＭ２０２からＬＣＤ２０３へ表示データを転送し続ける。
【００５１】
以上、説明したように、本発明の実施の形態に係る表示システムによれば、ＬＣＤや有機ＥＬ等の機器の表示部に表示する表示データの内、単一色の背景の表示データをＲＡＭ２０２から転送しない為、ＲＡＭ２０２へのメモリアクセス回数を削減によることでＲＡＭ２０２の消費電力を低減することができる。
【００５２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００５３】
１ アイコン
２ アイコン
１０１ ＣＰＵ
１０２ ＲＡＭ
１０３ ＬＣＤ
１０４ ＬＣＤ制御部
１０５ リード信号
１０６ ＶＤＡＴＡ
１０７ ＶＣＬＫ
１０８ ＨＳＹＮＣ信号
１０９ ＶＳＹＮＣ信号
１１０ メモリバス
２００ 表示制御装置
２２２ 表示データ格納部
２２４ 分離部
２２６ 変換部
２２８ 生成部
２３０ 復元部
２３２ 転送部
２４０ 表示装置
２５２ 読み取り部
２５４ 検知部
２５６ カウント部
２５８ 判別部
２０１ ＣＰＵ
２０２ ＲＡＭ
２０３ ＬＣＤ
２０４ ＬＣＤ制御部
２０５ メモリバス
２０６ ライト信号
２０７ リード信号
２０８ ＶＤＡＴＡ
２０９ ＶＣＬＫ
２１０ ＨＳＹＮＣ
２１１ ＶＳＹＮＣ
２１２ ＯＲゲート
３０１ 背景色開始コード判断部
３０２ 比較器
３０３ 背景色開始コード検出信号
３０４ カウンタ
３０５ 選択信号
３０６ 背景色データ生成部
３０７ 背景色データ設定レジスタ
３０８ セレクタ
３０９ ＬＣＤデータ転送タイミング生成部
【図１】
2012212037.tif 000003
【図２】
2012212037.tif 000004
【図３】
2012212037.tif 000005
【図４】
2012212037.tif 000006
【図５】
2012212037.tif 000007
【図６】
2012212037.tif 000008
【図７】
2012212037.tif 000009
【図８】
2012212037.tif 000010
【図９】
2012212037.tif 000011
【図１０】
2012212037.tif 000012
【図１１】
2012212037.tif 000013